(57)【要約】【課題】ユーザーの操作の負担を軽減し、ユーザーの望む合成画像を得ることが可能な画像処理装置を提供する。【解決手段】画像処理装置１１は、第１判断部１２１と、第１制御部１２２と、第２判断部１２３と、第２制御部１２４とを備える。第１制御部１２２は、第１判断部１２１により画像の外形形状が矩形ではないものが複数あると判断されれば、画像の端部同士を繋ぎ合わせて複数の画像を組み合わせるよう制御する。第２判断部１２３は、第１制御部１２２により複数の画像が組み合わせられた組み合わせ画像の外形形状が矩形であるか、または組み合わせ画像の中心を通る所定の線を基準として組み合わせ画像が左右対称であるかを判断する。第２制御部１２４は、第２判断部１２３により組み合わせ画像の外形形状が矩形であるか、または組み合わせ画像が左右対称であると判断されれば、端部同士を繋ぎ合わせた合成画像を生成するよう制御する。【選択図】図４
2018074342.tif 000002
【特許請求の範囲】
【請求項１】
原稿の画像を取得する取得部と、
前記取得部により取得された複数の前記原稿の画像を記憶する記憶部と、
前記記憶部に記憶された複数の前記原稿の画像のうち、前記画像の外形形状が矩形ではないものが複数あるかを判断する第１判断部と、
前記第１判断部により前記画像の外形形状が矩形ではないものが複数あると判断されれば、前記画像の端部同士を繋ぎ合わせて複数の前記画像を組み合わせるよう制御する第１制御部と、
前記第１制御部により複数の前記画像が組み合わせられた組み合わせ画像の外形形状が矩形であるか、または前記組み合わせ画像の中心を通る所定の線を基準として前記組み合わせ画像が左右対称であるかを判断する第２判断部と、
前記第２判断部により前記組み合わせ画像の外形形状が矩形であるか、または前記組み合わせ画像が左右対称であると判断されれば、前記端部同士を繋ぎ合わせた合成画像を生成するよう制御する第２制御部とを備える、画像処理装置。
【請求項２】
前記第１制御部は、複数の前記画像の端部の形状に直線ではない線がそれぞれ含まれていれば、前記直線ではない線の形状の前記端部同士を組み合わせるよう制御する、請求項１に記載の画像処理装置。
【請求項３】
前記第１制御部は、複数の前記画像の端部の形状に曲線がそれぞれ含まれていれば、前記曲線の形状の前記端部同士を組み合わせるよう制御する、請求項１に記載の画像処理装置。
【請求項４】
前記第１制御部は、複数の前記画像の端部の形状に傾斜した線がそれぞれ含まれていれば、前記傾斜した線の形状の前記端部同士を組み合わせるよう制御する、請求項１に記載の画像処理装置。
【請求項５】
前記第１制御部および前記第２判断部は、繰り返し前記画像の端部同士を繋ぎ合わせるように制御される、請求項１〜請求項４のいずれか１項に記載の画像処理装置。
【請求項６】
前記第２制御部は、前記組み合わせ画像の外形形状が規格化された用紙の所定の縦横比率を有する矩形である否かを判断する、請求項１〜請求項５のいずれか１項に記載の画像処理装置。
【請求項７】
前記記憶部には、既に出力された前記合成画像が記憶されており、
前記第２判断部は、前記組み合わせ画像の組み合わせのパターンが前記記憶部に記憶された前記合成画像の繋ぎ合わせのパターンと一致するか否かを判断し、
前記第２制御部は、前記第２判断部により、前記組み合わせ画像の組み合わせのパターンが前記記憶部に記憶された前記合成画像の繋ぎ合わせのパターンと一致すると判断されれば、前記端部同士を繋ぎ合わせて合成画像を生成するよう制御する、請求項１〜請求項６のいずれか１項に記載の画像処理装置。
【請求項８】
前記組み合わせ画像を構成する複数の画像のうち、繋ぎ合わせた周辺の画像の色をそれぞれの画像から抽出する第１抽出部をさらに備え、
前記第２制御部は、前記第１抽出部により抽出された複数の前記画像のそれぞれの前記色が異なっていれば、前記合成画像を生成しないよう制御する、請求項１〜請求項７のいずれか１項に記載の画像処理装置。
【請求項９】
前記組み合わせ画像を構成する複数の画像のうち、繋ぎ合わせた周辺の画像の文字列をそれぞれの画像から抽出する第２抽出部をさらに備え、
前記第２制御部は、前記第２抽出部により抽出された一方の前記画像の前記文字列に対して他方の前記画像の前記文字列が傾斜していれば、前記合成画像を生成しないよう制御する、請求項１〜請求項８のいずれか１項に記載の画像処理装置。
【請求項１０】
前記合成画像を基に用紙に画像を形成して出力する画像形成部をさらに備える、請求項１〜請求項９のいずれか１項に記載の画像処理装置。
【請求項１１】
原稿の画像を取得する取得工程と、
取得された複数の前記原稿の画像を記憶する記憶工程と、
記憶された複数の前記原稿の画像のうち、前記画像の外形形状が矩形ではないものが複数あるかを判断する第１判断工程と、
前記画像の外形形状が矩形ではないものが複数あると判断されれば、前記画像の端部同士を繋ぎ合わせて複数の前記画像を組み合わせるよう制御する第１制御工程と、
複数の前記画像が組み合わせられた組み合わせ画像の外形形状が矩形であるか、または前記組み合わせ画像の中心を通る所定の線を基準として前記組み合わせ画像が左右対称であるかを判断する第２判断工程と、
前記組み合わせ画像の外形形状が矩形であるか、または前記組み合わせ画像が左右対称であると判断されれば、前記端部同士を繋ぎ合わせた合成画像を生成するよう制御する第２制御工程とを備える、画像処理方法。
【発明の詳細な説明】
【技術分野】
【０００１】
この発明は、画像処理装置、および画像処理方法に関するものである。
【背景技術】
【０００２】
原稿の破れた破片の画像を読み取って、複数の画像データを取得し、これらを繋ぎ合わせて、原稿の合成画像データを出力するものが知られている。
【０００３】
各破片の画像データを繋ぎ合わせて、合成画像を出力する技術が、特開２０１０−２４５８８５号公報（特許文献１）に開示されている。
【０００４】
特許文献１に開示の画像処理装置は、複数の原稿破片の画像を読み取って、それぞれの画像データを入力する画像データ入力部と、入力された各画像データから、それぞれの原稿の破片の形状を示す特徴量を抽出する特徴量抽出部と、抽出された各特徴量に基づき、各画像データを位置合わせするための位置合わせパラメータを算出する算出部と、算出された位置合わせパラメータに基づいて、各画像データを合成し、合成画像データを出力する合成出力部とを設けることを特徴としている。
【先行技術文献】
【特許文献】
【０００５】
【特許文献１】特開２０１０−２４５８８５号公報
【発明の概要】
【発明が解決しようとする課題】
【０００６】
特許文献１に開示の技術では、ユーザーの指示を得た上で、破れた原稿の画像を繋ぎ合わせ合成画像を出力する。このように、特許文献１ではユーザーの指示を要するため、ユーザーの操作が煩雑になってしまう。
【０００７】
この発明の目的は、ユーザーの操作の負担を軽減し、ユーザーの望む合成画像を得ることが可能な画像処理装置、および画像処理方法を提供することである。
【課題を解決するための手段】
【０００８】
この発明の一の局面において画像処理装置は、取得部と、記憶部と、第１判断部と、第１制御部と、第２判断部と、第２制御部とを備える。取得部は、原稿の画像を取得する。記憶部は、取得部により取得された複数の原稿の画像を記憶する。第１判断部は、記憶部に記憶された複数の原稿の画像のうち、画像の外形形状が矩形ではないものが複数あるかを判断する。第１制御部は、第１判断部により画像の外形形状が矩形ではないものが複数あると判断されれば、画像の端部同士を繋ぎ合わせて複数の画像を組み合わせるよう制御する。第２判断部は、第１制御部により複数の画像が組み合わせられた組み合わせ画像の外形形状が矩形であるか、または組み合わせ画像の中心を通る所定の線を基準として組み合わせ画像が左右対称であるかを判断する。第２制御部は、第２判断部により組み合わせ画像の外形形状が矩形であるか、または組み合わせ画像が左右対称であると判断されれば、端部同士を繋ぎ合わせた合成画像を生成するよう制御する。
【０００９】
この発明の他の局面において画像処理方法は、取得工程と、記憶工程と、第１判断工程と、第１制御工程と、第２判断工程と、第２制御工程とを備える。取得工程は、原稿の画像を取得する。記憶工程は、取得された複数の原稿の画像を記憶する。第１判断工程は、記憶された複数の原稿の画像のうち、画像の外形形状が矩形ではないものが複数あるかを判断する。第１制御工程は、画像の外形形状が矩形ではないものが複数あると判断されれば、画像の端部同士を繋ぎ合わせて複数の画像を組み合わせるよう制御する。第２判断工程は、複数の画像が組み合わせられた組み合わせ画像の外形形状が矩形であるか、または組み合わせ画像の中心を通る所定の線を基準として組み合わせ画像が左右対称であるかを判断する。第２制御工程は、組み合わせ画像の外形形状が矩形であるか、または組み合わせ画像が左右対称であると判断されれば、端部同士を繋ぎ合わせた合成画像を生成するよう制御する。
【発明の効果】
【００１０】
このような画像処理装置によれば、制御部により取得された画像の外形形状を確認し、画像の端部同士を組み合わせる。そして、組み合わせられた画像の外形形状が特定の形状であれば、画像の端部同士を繋ぎ合わせ合成画像を生成する。この場合、ユーザーが改めて画像を繋ぎ合わせる旨の指示をする必要はない。従って、ユーザーの操作の負担を軽減し、ユーザーの望む合成画像を得ることができる。
【００１１】
また、このような画像処理方法によれば、ユーザーの操作の負担を軽減し、ユーザーの望む合成画像を得ることができる。
【図面の簡単な説明】
【００１２】
【図１】この発明の一実施形態に係る画像処理装置を複合機に適用した場合の複合機の外観を示す概略図である。
【図２】図１に示す複合機の構成を示すブロック図である。
【図３】制御部の構成を示すブロック図である。
【図４】破れた原稿を読み取って合成画像を形成する場合の処理の流れを示すフローチャートである。
【図５】載置台にセットされた原稿の一例を示す図である。
【図６】画像を組み合わせて合成画像を生成する一例を示す図である。
【図７】画像を組み合わせて合成画像を生成する他の一例を示す図である。
【発明を実施するための形態】
【００１３】
以下、この発明の実施の形態を説明する。図１は、この発明の一実施形態に係る画像処理装置を複合機に適用した場合の複合機１１の外観を示す概略図である。図２は、図１に示す複合機１１の構成を示すブロック図である。
【００１４】
図１および図２において、複合機１１は、制御部１２と、表示部１３と、原稿の画像を取得する取得部としての読み取り部１４と、記憶部としてのハードディスク１７、画像形成部２０とを備える。
【００１５】
制御部１２は、複合機１１全体の制御を行う。制御部１２は、ＣＰＵ等から構成されており、一時的にデータを記憶する記憶部としての主記憶メモリ１８を含む。表示部１３は、タッチパネル型式の表示画面２１を含む。読み取り部１４は、載置台１９上にセットされた原稿を読み取ることによって原稿の画像を取得する。画像形成部２０は、読み取り部１４により取得された原稿の画像を基に、給紙カセット１６から搬送されてきた用紙に画像を形成して出力する。ハードディスク１７は、読み取った画像や出力した画像を記憶する。
【００１６】
次に、複合機１１に備えられる制御部１２の構成について説明する。図３は、制御部１２の構成を示すブロック図である。図３を参照して、制御部１２は、第１判断部１２１と、第１制御部１２２と、第２判断部１２３と、第２制御部１２４とを備える。
【００１７】
第１判断部１２１は、記憶部に記憶された複数の原稿の画像のうち、画像の外形形状が矩形ではないものが複数あるかを判断する。第１制御部１２２は、第１判断部１２１により画像の外形形状が矩形ではないものが複数あると判断されれば、画像の端部同士を繋ぎ合わせて複数の画像を組み合わせるよう制御する。第２判断部１２３は、第１制御部１２２により複数の画像が組み合わせられた組み合わせ画像の外形形状が矩形であるか、または組み合わせ画像の中心を通る所定の線を基準として組み合わせ画像が左右対称であるかを判断する。第２制御部１２４は、第２判断部１２３により組み合わせ画像の外形形状が矩形であるか、または組み合わせ画像が左右対称であると判断されれば、端部同士を繋ぎ合わせた合成画像を生成するよう制御する。
【００１８】
次に、複合機１１を用いて、破れた原稿の画像を読み取って合成画像を形成する場合について説明する。図４は、破れた原稿の画像を読み取って合成画像を形成する場合の処理の流れを示すフローチャートである。ここでは、二枚に破れた原稿を繋ぎ合わせて合成画像を生成する場合について説明する。
【００１９】
図４を参照して、まず、ユーザーは、二つに破れた原稿の破片を載置台１９にセットする。原稿のセットを検知すると、原稿の画像が取得される（図４において、ステップＳ１１、以下、「ステップ」を省略する）。
【００２０】
図５は、載置台１９にセットされた二つの破片３１、３２を示す図である。図５を参照して、破片３１、３２は、当初は一枚の矩形形状の原稿であり、二枚に破れた破片である。破片３１、３２は、載置台１９の主走査方向・副走査方向に対して自由にセットされる。破片３１は、破られた側の端部となる破断部３１Ａと、その他の端部３１Ｂ、３１Ｃ、３１Ｄを含む。破片３２も同様に、破られた側の端部となる破断部３２Ａと、その他の端部３２Ｂ、３２Ｃ、３２Ｄを含む。破断部３１Ａ、３２Ａは、破片の紙面の表裏方向から見た場合に直線ではない線の形状を有する。具体的には、複数の直線からなる線を含む鋸歯状の線の形状を有する。その他の端部３１Ｂ、３１Ｃ、３１Ｄ、３２Ｂ、３２Ｃ、３２Ｄは、破片の紙面の表裏方向から見た場合に直線からなる線の形状を有する。
【００２１】
そして、破片３１、３２の画像が取得されると、それぞれの画像が生成される。生成された画像は主記憶メモリ１８に記憶される（Ｓ１２）。主記憶メモリ１８に記憶された画像のうち、画像の外形形状が矩形ではないものが複数あるかを判断する（Ｓ１３）。図５を参照して、破片３１、３２は、破片の紙面の表裏方向から見た場合に直線ではない線の形状を有する破断部３１Ａ、３２Ａを含む。このため、破片３１、３２の外形形状は矩形ではなく、外形形状が矩形でないものが合計２つあるといえる。
【００２２】
画像の外形形状が矩形ではないものが複数あれば（Ｓ１３においてＹＥＳ）、画像の端部同士を繋ぎ合わせて画像を組み合わせる（Ｓ１４）。図６は、二つの画像３４、３５を組み合わせ、合成画像を生成する一例を示す図である。図６を参照して、画像３４は、破片３１が読み取られた画像であり、文字列Ｒを含む。画像３５は、破片３２が読み取られた画像であり、文字列Ｓを含む。画像３４は、破断部３４Ａと、端部３４Ｂ、３４Ｃ、３４Ｄとを含む。画像３５は、破断部３５Ａと、端部３５Ｂ、３５Ｃ、３５Ｄとを含む。破断部３４Ａ、３５Ａは、紙面の表裏方向から見た場合に直線ではない線の形状を有する。端部３４Ｂ、３４Ｃ、３４Ｄ、３５Ｂ、３５Ｃ、３５Ｄは、紙面の表裏方向から見た場合に直線からなる線の形状を有する。破断部３４Ａ、３５Ａは直線ではない線の形状を有するため、破断部３４Ａ、３５Ａ同士が組み合わせられる。
【００２３】
そして、画像が組み合わせられた組み合わせ画像の外形形状が矩形であるかを判断する（Ｓ１５）。図６を参照して、画像３４、３５の組み合わせ画像の外形形状は、破断部３４Ａ、３５Ａ同士が組み合わせられて、矩形となる。
【００２４】
最後に組み合わせ画像の外形形状が矩形であれば（Ｓ１５においてＹＥＳ）、画像の端部同士を繋ぎ合わせて合成画像を生成する（Ｓ１６）。生成された合成画像は、出力される（Ｓ１７）。図６を参照して、画像３４、３５は、端部同士を繋ぎ合わせて、点線で表現された境界線Ｔを含む合成画像が生成され、画像形成部２０により用紙に画像が形成されて出力される（Ａ１）。境界線Ｔは削除するように合成画像が生成されるようにしてもよい（Ａ２）。
【００２５】
このような複合機１１によれば、制御部１２により取得された画像の外形形状を確認し、画像の端部同士を組み合わせる。そして、組み合わせられた画像の外形形状が特定の形状であれば、画像の端部同士を繋ぎ合わせ自動で合成画像を生成する。この場合、ユーザーが改めて画像を繋ぎ合わせる旨の指示をする必要はない。従って、ユーザーの操作の負担を軽減し、ユーザーの望む合成画像を得ることができる。
【００２６】
なお、Ｓ１１において、複合機１１のネットワークインターフェース部（図示せず）を通じて、ネットワークに接続されたコンピューター（図示せず）から送信された画像を取得するようにしてもよい。
【００２７】
なお、Ｓ１５において、組み合わせ画像の外形形状が矩形であれば（Ｓ１５においてＹＥＳ）、表示部１３の表示画面２１に組み合わせ画像の外形形状が表示され、合成画像を生成して合成画像を出力するかをユーザーに問い合わせるようにしてもよい。また、Ｓ１５において、画像が組み合わせられた組み合わせ画像の外形形状が矩形であると判断されなければ（Ｓ１５において、ＮＯ）、組み合わせ画像を合成せずに終了する。
【００２８】
なお、Ｓ１４において、画像の端部の形状によって以下のようにしてもよい。複数の画像の端部の形状に直線ではない線がそれぞれ含まれていれば、直線ではない線の形状の端部同士を組み合わせるようにしてもよい。ここで、直線ではない線とは、一直線ではない複数の直線からなる線をいう。また、複数の画像の端部の形状に曲線がそれぞれ含まれていれば、曲線の形状の端部同士を組み合わせるようにしてもよい。また、複数の画像の端部の形状に傾斜した線がそれぞれ含まれていれば、傾斜した線の形状の端部同士を組み合わせるようにしてもよい。ここで傾斜した線とは、端部に対する線の角度が９０度とならない線をいう。このようにすることにより、原稿の破れた端部同士を確実に組み合わせ、正確な合成画像を生成することができる。
【００２９】
図７は、二つの画像３６、３７を組み合わせ、合成画像を生成する他の一例を示す図である。二つの画像３６、３７は、一枚の矩形形状の原稿を裁断機で斜めに裁断した破片を読み取った画像である。図７を参照して、画像３６は、破断部３６Ａと、端部３６Ｂ、３６Ｃ、３６Ｄとを含む。画像３７は、破断部３７Ａと、端部３７Ｂ、３７Ｃ、３７Ｄとを含む。破断部３６Ａと端部３６Ｂとのなす角度は、９０度より大きくなる。また、破断部３６Ａと端部３６Ｄとのなす角度は、９０度より小さくなる。また、端部３６Ｃと、端部３６Ｂおよび端部３６Ｄとのなす角度は、９０度となる。更に、破断部３７Ａと端部３７Ｂとのなす角度は、９０度より小さくなる。また、破断部３７Ａと端部３７Ｄとのなす角度は、９０度より大きくなる。また、端部３７Ｃと、端部３７Ｂおよび端部３７Ｄとのなす角度は、９０度となる。よって、破断部３６Ａおよび破断部３７Ａは、紙面の表裏方向から見た場合に傾斜した線の形状を有する。このため、破断部３６Ａおよび破断部３７Ａ同士が組み合わせられる。
【００３０】
なお、Ｓ１４、１５において、繰り返し画像の端部同士を繋ぎ合わせるように制御してもよい。具体的には、画像の端部同士を繋ぎ合わせた結果として、組み合わせ画像が矩形でない場合や左右対称でない場合には、再度画像の端部同士を繋ぎ合わせて画像を組み合わせるように制御してもよい。
【００３１】
なお、Ｓ１５において、組み合わせ画像の外形形状が規格化された用紙の所定の縦横比率を有する矩形であるか否かを判断してもよい。ここで、規格化された用紙の所定の縦横比率を有する矩形とは、例えば、２１０ｍｍ×２９７ｍｍのＡ４判、１８２ｍｍ×２５７ｍｍのＢ５判に対応した比率を有する形状が挙げられる。
【００３２】
なお、Ｓ１５において、組み合わせ画像の中心を通る所定の線を基準として、組み合わせ画像が左右対称であるかを判断してもよい。ここで、組み合わせ画像が左右対称である場合とは、例えば、等脚台形の形状が挙げられる。
【００３３】
なお、Ｓ１７において、画像形成部２０によって給紙カセット１６から搬送されてきた用紙に合成画像を形成して出力してもよい。また、ネットワークに接続されたコンピューター（図示せず）に合成画像が送付されるようにして出力してもよい。また、合成画像を出力する際に、合成画像をハードディスク１７に記憶するようにしてもよい。
【００３４】
なお、ハードディスク１７には、既に出力された合成画像が記憶されており、Ｓ１５において、組み合わせ画像の組み合わせのパターンが、ハードディスク１７に記憶された合成画像の繋ぎ合わせのパターンと一致するか否かを判断するようにしてもよい。組み合わせ画像の組み合わせのパターンが、ハードディスク１７に記憶された合成画像の繋ぎ合わせのパターンと一致する場合（Ｓ１５においてＹＥＳ）、Ｓ１６において端部同士を繋ぎ合わせて合成画像を生成するようにしてもよい。また、Ｓ１６においてハードディスク１７に記憶された合成画像を出力するようにしてもよい。このようにすることで、より効率的に画像処理を行うことができる。
【００３５】
制御部１２は、第１抽出部をさらに備えてもよい。第１抽出部は、組み合わせ画像を構成する複数の画像のうち、繋ぎ合わせた周辺の画像の色をそれぞれの画像から抽出する。ここで、繋ぎ合わせた周辺とは、例えば繋ぎ合わせた境界線から組み合わせ画像の面積に対して１％以内の領域をいう。
【００３６】
なお、Ｓ１６において、組み合わせ画像を構成する複数の画像のうち、繋ぎ合わせた周辺の画像の色をそれぞれの画像から抽出し、抽出された色が異なっていれば、合成画像を生成しないようにしてもよい。
【００３７】
制御部１２は、第２抽出部をさらに備えてもよい。第２抽出部は、組み合わせ画像を構成する複数の画像のうち、繋ぎ合わせた周辺の画像の文字列をそれぞれの画像から抽出する。ここで、繋ぎ合わせた周辺とは、例えば繋ぎ合わせた境界線から組み合わせ画像の面積に対して１０％以内の領域をいう。
【００３８】
なお、Ｓ１６において、組み合わせ画像を構成する複数の画像のうち、繋ぎ合わせた周辺の画像の文字列をそれぞれの画像から抽出し、一方の画像の文字列に対して他方の画像の文字列が傾斜していれば、合成画像を生成しないようにしてもよい。ここで、一方の画像の文字列に対して他方の画像の文字列が傾斜しているとは、一方の画像の文字列の方向と他方の画像の文字列の方向とのなす角度が、例えば１０度未満となることをいう。図６を参照して、文字列Ｒと文字列Ｓは傾斜しておらず、文字列Ｒの方向と文字列Ｓの方向とのなす角度は、０度となる。
【００３９】
なお、Ｓ１７において、組み合わせ画像に画像の無い箇所が生成された場合、画像の無い箇所は何等かの画像を補足して出力されるようにしてもよい。また、組み合わせ画像の組み合わせのパターンが、ハードディスク１７に記憶された合成画像の繋ぎ合わせパターンと一致する場合は、ハードディスク１７に記憶された合成画像を出力されるようにしてもよい。
【００４０】
なお、上記の実施の形態においては、取得部は読み取り部１４により原稿を読み取って原稿の画像を取得することとしたが、これに限らず、取得部は複合機１１のネットワークインターフェース部（図示せず）を通じて、ネットワークに接続されたコンピューター（図示せず）等の外部装置から送信された画像を受信することにより取得するようにしてもよい。また、スマートフォン等の撮影部により撮影された画像を無線通信によって取得するようにしてもよい。
【００４１】
なお、上記の実施の形態においては、画像処理装置を複合機に適用した場合について説明したが、これに限らず、タブレット端末、スマートフォン、デジタルカメラ等において、上記構成を備えることとしてもよい。具体的には、タブレット端末、スマートフォン、デジタルカメラ等の撮影部によって原稿が撮影されて、原稿の画像を取得するようにしてもよい。
【００４２】
また、この発明の他の局面において、画像処理方法は、以下の構成を備える。すなわち、画像処理方法は、原稿の画像を取得する取得工程と、取得された複数の原稿の画像を記憶する記憶工程と、記憶された複数の原稿の画像のうち、画像の外形形状が矩形ではないものが複数あるかを判断する第１判断工程と、画像の外形形状が矩形ではないものが複数あると判断されれば、画像の端部同士を繋ぎ合わせて複数の画像を組み合わせるよう制御する第１制御工程と、複数の画像が組み合わせられた組み合わせ画像の外形形状が矩形であるか、または組み合わせ画像の中心を通る所定の線を基準として組み合わせ画像が左右対称であるかを判断する第２判断工程と、組み合わせ画像の外形形状が矩形であるか、または組み合わせ画像が左右対称であると判断されれば、端部同士を繋ぎ合わせた合成画像を生成するよう制御する第２制御工程を備える構成とする。このようにすることによっても、ユーザーの操作の負担を軽減し、ユーザーの望む合成画像を得ることができる。
【００４３】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４４】
この発明に係る画像処理装置は、ユーザーの操作の負担を軽減し、ユーザーの望む合成画像を得ることが要求される場合に、特に有効に利用される。
【符号の説明】
【００４５】
１１  複合機、１２  制御部、１３  表示部、１４  読み取り部、１６  給紙カセット、１７  ハードディスク、１８  主記憶メモリ、１９  載置台、２０  画像形成部、２１  表示画面、１２１  第１判断部、１２２  第１制御部、１２３  第２判断部、１２４  第２制御部、３１,３２  破片、３１Ａ,３２Ａ  破断部、３１Ｂ,３１Ｃ,３１Ｄ,３２Ｂ,３２Ｃ,３２Ｄ  端部、３４,３５  画像、３４Ａ,３５Ａ  破断部、３６,３７  画像、３６Ａ,３７Ａ  破断部、３６Ｂ,３６Ｃ,３６Ｄ,３７Ｂ,３７Ｃ,３７Ｄ  端部、Ｒ  文字列、Ｓ  文字列、Ｔ  境界線
【図１】
2018074342.tif 000003
【図２】
2018074342.tif 000004
【図３】
2018074342.tif 000005
【図４】
2018074342.tif 000006
【図５】
2018074342.tif 000007
【図６】
2018074342.tif 000008
【図７】
2018074342.tif 000009